(57)【要約】【課題】肌に接触する振動板部の温度調節が容易であり、振動板部における振動可能な面積を広くすることができる美容器具を提供する。【解決手段】美容器１は、肌に超音波振動を付与する振動板部２１と、振動板部２１の外縁に連なる外周縁部２２とを備えた先端部材２と、振動板部２１の温度を変化させる温度調整体３と、温度調整体３と外周縁部２２との間に介在する伝熱部材４とを有している。振動板部２１には、超音波振動子２３が取り付けられている。伝熱部材４は、温度調整体３と振動板部２１とを含む熱伝導経路の一部を構成している。先端部材２は、振動板部２１を露出させた状態でハウジング５に保持されている。ハウジング５の内部には、超音波振動子２３、温度調整体３及び伝熱部材４が収容されている。【選択図】図６
2017221564.tif 000002
【特許請求の範囲】
【請求項１】
肌に超音波振動を付与する振動板部と、上記振動板部の外縁に連なる外周縁部とを備えた先端部材と、
上記振動板部に取り付けられた超音波振動子と、
上記振動板部の温度を変化させる温度調整体と、
上記温度調整体と上記外周縁部との間に介在し、上記温度調整体と上記振動板部とを含む熱伝導経路の一部を構成する伝熱部材と、
上記振動板部を露出させた状態で上記先端部材を保持するとともに、上記超音波振動子、上記温度調整体及び上記伝熱部材を内側に収容するハウジングとを有している、美容器。
【請求項２】
上記伝熱部材は、空隙を介して上記超音波振動子に対面する伝熱板部を有しており、上記温度調整体は、上記伝熱板部における、上記超音波振動子側と反対側の面に保持されている、請求項１に記載の美容器。
【請求項３】
上記外周縁部は、上記伝熱部材に向けて立設された突出部を有しており、上記伝熱部材と上記突出部とが当接している、請求項１または２に記載の美容器。
【請求項４】
上記温度調整体はペルチェ素子である、請求項１〜３のいずれか１項に記載の美容器。
【発明の詳細な説明】
【技術分野】
【０００１】
本発明は、美容器に関する。
【背景技術】
【０００２】
肌の美容のために用いられる美容器は、例えば肌への超音波振動の付与や肌の加温、冷却などの機能を有している。また、これら複数の機能を備えた美容器も知られている。この種の美容器の例として、特許文献１には、接触温度を可変できる超音波美容装置が記載されている。この美容装置は、皮膚と接触する接触板と、接触板の背後に配置された超音波振動子と、超音波振動子の外周に配置された熱変換素子とを有している。
【０００３】
また、特許文献２に記載された美容器は、肌へ超音波振動を付与する機能を備えていないが、温熱ヘッドと冷熱ヘッドとの２つのヘッドを有している。この温熱ヘッドは、ヘッドケースと、ヘッドケースの背面に設けられたヒーターユニットと、ヒーターユニットよりも内側に設けられたバイブレーターとを有している。また、冷熱ヘッドは、その背面に設けられた熱電変換素子により、肌の冷却を行うことができるように構成されている。
【先行技術文献】
【特許文献】
【０００４】
【特許文献１】特開平４−８９０５８号公報
【特許文献２】特開２０１４−２００４９６号公報
【発明の概要】
【発明が解決しようとする課題】
【０００５】
しかし、特許文献１の美容器具は、接触板の背面に、超音波振動子と熱変換素子との両方が取り付けられている。そのため、接触板における熱変換素子が密着している部分は、超音波振動子が密着している部分に比べて振動しにくくなる。このように、特許文献１の美容器具においては、超音波振動が熱変換素子により損なわれるため、接触板における振動可能な面積を広くすることが難しい。
【０００６】
接触板における振動可能な面積を広くするためには、単純には、超音波振動子のサイズを大きくすればよい。しかし、この場合には、超音波振動子のサイズが大きくなった分、熱変換素子のサイズを小さくする必要があるため、加温能力及び冷却能力が低下するおそれがある。それ故、単純に超音波振動子のサイズを大きくする場合には、接触板の温度を所望する範囲に調節することが難しくなるおそれがある。
【０００７】
このように、特許文献１の美容器具は、接触板の温度を調節する機能を確保しつつ、接触板が振動する面積を広くすることが難しいという問題がある。
【０００８】
本発明は、かかる背景に鑑みてなされたものであり、肌に超音波振動を付与する振動板部の面積を広くすることができるとともに、振動板部の温度調節が容易である美容器具を提供しようとするものである。
【課題を解決するための手段】
【０００９】
本発明の一態様は、肌に超音波振動を付与する振動板部と、上記振動板部の外縁に連なる外周縁部とを備えた先端部材と、
上記振動板部に取り付けられた超音波振動子と、
上記振動板部の温度を変化させる温度調整体と、
上記温度調整体と上記外周縁部との間に介在し、上記温度調整体と上記振動板部とを含む熱伝導経路の一部を構成する伝熱部材と、
上記振動板部を露出させた状態で上記先端部材を保持するとともに、上記超音波振動子、上記温度調整体及び上記伝熱部材を内側に収容するハウジングとを有している、美容器にある。
【発明の効果】
【００１０】
上記美容器は、上記振動板部と上記外周縁部とを備えた先端部材と、上記振動板部における上記ハウジングの内側の面に取り付けられた上記超音波振動子と、上記ハウジングの内側に収容された上記温度調整体と、上記温度調整体と上記外周縁部との間に介在している上記伝熱部材とを有している。上記美容器は、従来の美容器のように、肌に接触させる先端部材と温度調整体とを直接接触させるのではなく、両者の間に上記伝熱部材を介在させる構成を積極的に採用している。これにより、上記振動板部の面積を広くしつつ、上記振動板部の温度調整を効率よく行うことができる。
【００１１】
すなわち、従来のように先端部材に温度調整体を直接取り付ける場合には、振動板部の大きさや形状が、温度調整体の大きさや形状により制約を受ける。例えば、先端部材の温度調整効率を高めるために温度調整体を大型化した場合、先端部材と温度調整体との接続面積が増加するため、振動板部の面積が狭くなる、あるいは超音波振動子の配置が制約されるなどの問題が生じうる。
【００１２】
これに対し、上記美容器においては、上記温度調整体と上記外周縁部との間に上記伝熱部材を介在させている。上記伝熱部材は、上記温度調整体と上記振動板部とを熱的に接触させ、両者を含む熱伝導経路を構成することができればよいため、その形状や構造を比較的自由に設定することができる。それ故、上記振動板部の面積の拡大と、上記先端部材の温度調整効率の向上とを両立させるように、上記温度調整体と上記振動板部とを含む熱伝導経路、即ち、上記伝熱部材と上記外周縁部との接続構造及び上記外周縁部と上記振動板部との接続構造を容易に最適化することができる。
【００１３】
また、上記伝熱部材は、上記外周縁部に接続されている。そのため、上記超音波振動子を発振させた際に、上記外周縁部の内側に存在する上記振動板部を効率よく振動させるとともに、上記振動板部の面積を容易に広くすることができる。
【００１４】
また、温度調整体は、上記伝熱部材を介して間接的に上記先端部材に取り付けられている。そのため、上述したような上記温度調整体と上記振動板部との干渉の問題を回避し、上記温度調整体のサイズを容易に大きくすることができる。そして、上記美容器は、上記温度調整体のサイズを大きくすることにより、加温能力及び／または冷却能力を十分に高くすることができる。その結果、上記伝熱部材を介して上記振動板部の温度を容易に調節することができる。
【００１５】
以上のように、上記美容器によれば、上記振動板部の温度調節を容易に行うことができる。また、上記美容器は、上記振動板部における振動可能な面積を広くすることができる。
【図面の簡単な説明】
【００１６】
【図１】実施例における、美容器及び美容器に接続された電源ユニットの斜視図である。
【図２】実施例における、美容器の上面図である。
【図３】実施例における、美容器の側面図である。
【図４】実施例における、美容器の下面図である。
【図５】実施例における、美容器の分解斜視図である。
【図６】図２のVI−VI線一部矢視断面図である。
【図７】実施例における、先端部材の正面図である。
【図８】実施例における、先端部材を突出部側から視た斜視図である。
【発明を実施するための形態】
【００１７】
上記美容器において、超音波振動子としては、例えば、圧電素子等の公知の超音波振動子を適用することができる。超音波振動子から発振された超音波振動が振動板部を介して肌に伝わることにより、新陳代謝の活性化や血行の促進などの効果を奏することができる。また、予め栄養成分等を含む美容剤が塗布された状態で肌に超音波振動を付与することにより、美容剤の吸収を促進するという効果を奏することができる。
【００１８】
これらの効果をより高める観点からは、超音波振動子は、周波数１〜５ＭＨｚの振動を発生させることができるように構成されていることが好ましい。
【００１９】
上記伝熱部材は、空隙を介して上記超音波振動子に対面する伝熱板部を有しており、上記温度調整体は、上記伝熱板部における、上記超音波振動子側と反対側の面に保持されていてもよい。この場合には、伝熱板部と超音波振動子とが離隔した状態を保ちつつ、先端部材及び伝熱部材を配置するスペースをより小さくすることができる。その結果、美容器をより容易に小型化することができる。
【００２０】
上記外周縁部は、上記伝熱部材に向けて立設された突出部を有しており、上記伝熱部材は上記突出部に当接していることが好ましい。この場合には、伝熱部材と超音波振動子との間に確実に空隙を形成することができる。その結果、超音波振動子を発振させた際に、振動板部をより効率よく振動させることができる。
【００２１】
温度調整体は、先端部材を加温する機能及び／または先端部材を冷却する機能を有している。加温された先端部材を肌に接触させた場合、肌を温めることにより、新陳代謝の活性化や血行の促進などの効果を奏することができる。また、予め栄養成分等を含む美容剤が塗布された状態で肌を温めることにより、美容剤の吸収を促進するという効果を奏することができる。さらに、肌を温めることにより毛穴が開きやすくなるため、クレンジングにより毛穴内部の汚れ等をより容易に除去する効果を奏することもできる。これらの効果をより高める観点から、温度調整体は、先端部材を３５〜３９℃の範囲内まで加温できるように構成されていることが好ましい。
【００２２】
一方、冷却された先端部材を肌に接触させた場合、肌が冷やされることにより、毛穴を引き締める、あるいはたるみを改善するなどの効果を奏することができる。これらの効果をより高める観点から、温度調整体は、施術部を１４〜１８℃の範囲内まで冷却できるように構成されていることが好ましい。
【００２３】
温度調整体は、先端部材を加温する機能または先端部材を冷却する機能のいずれか一方を有していてもよいが、両方を有していることがより好ましい。この場合には、肌の加温と冷却とを交互に繰り返すことにより、新陳代謝の活性化や血行の促進などの効果をより高めることができる。
【００２４】
上記温度調整体は、ペルチェ素子であることが好ましい。この場合には、先端部材を加温する機能と先端部材を冷却する機能との両方を１つの素子で実現することができる。そのため、部品点数をより低減することができる。
【実施例】
【００２５】
上記美容器の実施例について、図を用いて説明する。図６に示すように、美容器１は、肌に超音波振動を付与する振動板部２１と、振動板部２１の外縁に連なる外周縁部２２とを備えた先端部材２と、振動板部２１の温度を変化させる温度調整体３と、温度調整体３と外周縁部２２との間に介在する伝熱部材４とを有している。振動板部２１には、超音波振動子２３が取り付けられている。伝熱部材４は、温度調整体３と振動板部２１とを含む熱伝導経路の一部を構成している。
【００２６】
先端部材２は、振動板部２１を露出させた状態でハウジング５に保持されている。また、ハウジング５の内部には、超音波振動子２３、温度調整体３及び伝熱部材４が収容されている。
【００２７】
本例の美容器１は、図１〜図４に示すように、棒状を呈するハンドル部１１と、ハンドル部１１の長手方向における一端に設けられたヘッド部１２とを有している。図３に示すように、ヘッド部１２は、ハンドル部１１の一端から、その長手方向とは異なる方向に延びている。また、ヘッド部１２の先端には先端部材２が保持されている。
【００２８】
図１に示すように、ハンドル部１１の他端からは接続ケーブル１３が延出している。接続ケーブル１３は、美容器１とは別体に構成された電源ユニット１００に接続されている。本例の電源ユニット１００は、接続ケーブル１３を介して美容器１に電力を供給する機能を有している。
【００２９】
以下において、ハンドル部１１の長手方向に平行な方向を美容器１の前後方向Ｘといい、前後方向Ｘにおけるヘッド部１２側を前方Ｘ１、接続ケーブル１３側を後方Ｘ２ということがある。また、美容器１を前方Ｘ１から見たときに、ヘッド部１２が延在している方向を上下方向Ｚといい、上下方向Ｚにおけるハンドル部１１側を上方Ｚ１、先端部材２側を下方Ｚ２ということがある。これらの美容器１の方向に関する表示は全て便宜上のものであり、美容器１を実際に使用する際の向きとは何ら関係がない。
【００３０】
図５に示すように、美容器１のハウジング５は、ハンドル上部５１、ハンドル下部５２、ヘッド上部５３及びヘッド下部５４の４つの部品を有している。ハンドル上部５１はハンドル部１１の上方Ｚ１の外壁を構成しており、ハンドル下部５２は下方Ｚ２の外壁を構成している。また、ヘッド上部５３はヘッド部１２の上方Ｚ１の外壁を構成しており、ヘッド下部５４は下方Ｚ２の外壁を構成している。
【００３１】
ハンドル部１１の内部には、美容器１の動作を制御する制御基板１４が配置されている。図には示さないが、制御基板１４は、接続ケーブル１３と電気的に接続されている。また、図５に示すように、制御基板１４には、前後方向Ｘに一列に並んだ３個の切り替えスイッチ１４１（１４１ａ、１４１ｂ、１４１ｃ）が設けられている。これらの切り替えスイッチ１４１は、ハンドル上部５１に露出した操作キー５１１（図１、図２及び図５参照）を介して押下することができる。切り替えスイッチ１４１ａ、１４１ｂ、１４１ｃは、それぞれ、超音波振動の発生と停止との切り替え、温度調整体３における加温動作の実施と停止との切り替え及び冷却動作と実施と停止との切り替えを行う機能を有している。
【００３２】
即ち、本例の美容器１は、操作キー５１１を押下することにより、振動板部２１を超音波振動させる動作、振動板部２１を加温する動作または振動板部２１を冷却する動作のいずれかを選択して実行することができる。また、図５に示すように、制御基板１４には、これらの動作の種類に応じたパターンで点灯する上側発光部１４２が設けられている。上側発光部１４２から発生した光は、キーハウジング５１２及びキーホルダー５１３（後述）の貫通孔５１４、５１５を介して、ハンドル上部５１に設けられた上側表示部５１６（図２、図５参照）に導かれる。なお、本例の上側発光部１４２は、ＬＥＤ（発光ダイオード）である。
【００３３】
図５に示すように、操作キー５１１と制御基板１４との間には、操作キー５１１を収容するキーハウジング５１２と、キーハウジング５１２を収容するキーホルダー５１３とが配置されている。キーホルダー５１３は、ネジ（図示略）によりハンドル下部５２に締結されている。
【００３４】
制御基板１４の下方Ｚ２には、下側発光部１５と、下側発光部１５を保持する発光部カバー１６とが配置されている。下側発光部１５は、制御基板１４と電気的に接続されており、美容器１の動作の種類に応じたパターンで点灯するように構成されている。発光部カバー１６は、ネジ（図示略）によりハンドル上部５１に締結されている。また、発光部カバー１６は、図４に示すようにハウジング５の下方Ｚ２に露出した窓部１６１を有している。下側発光部１５から発生した光は、発光部カバー１６の窓部１６１に導かれる。なお、本例の下側発光部１５は、ＬＥＤ（発光ダイオード）である。
【００３５】
図６に示すように、ヘッド部１２の先端には、先端部材２が保持されている。また、ヘッド部１２の内部には、超音波振動子２３と、伝熱部材４と、温度調整体３と、スペーサ３１と、放熱プレート６と、ヒートシンク６１と、冷却ファン６２とが収容されている。図５に示すように、先端部材２、伝熱部材４、スペーサ３１、放熱プレート６は、この順に積層されている。これらの部品は、図５及び図６に示すように、放熱プレート６に挿通されたネジ６３により、一体に締結されている。
【００３６】
図５及び図６に示すように、先端部材２は、ヘッド部１２の先端に露出した振動板部２１と、振動板部２１の外縁に連なる外周縁部２２とを有している。図７に示すように、振動板部２１は、その厚み方向から視た平面視において円形を呈している。
【００３７】
図６に示すように、振動板部２１におけるヘッド部１２の内側に存在する面には、接着材（図示略）を介して超音波振動子２３が接着されている。図６及び図７に示すように、超音波振動子２３は、振動板部２１の厚み方向から視た平面視において、振動板部２１の中央部２１１に配置されている。
【００３８】
本例においては、超音波振動子２３が配置される中央部２１１が、その周囲２１２の板厚とは異なる板厚を有している。このように、超音波振動子２３が配置される中央部２１１の板厚を、その周囲２１２とは異なる厚みとすることにより、超音波振動の効率をより向上させることができる。中央部２１１の板厚は、超音波振動子の共振周波数に応じて設定すればよい。例えば、本例における中央部２１１の板厚は、その周囲２１２よりも厚くなっている。より具体的には、本例における中央部２１１の板厚は１．８０５ｍｍである。本例の超音波振動子２３は、周波数３．５ＭＨｚの超音波振動を発振することができる。
【００３９】
図６〜図８に示すように、外周縁部２２は、伝熱部材４に向けて立設された突出部２２１を有している。図８に示すように、突出部２２１の頂面２２２は平坦になっている。この頂面２２２には伝熱部材４の薄肉部４２（後述）が当接している。また、突出部２２１の頂面２２２にはネジ孔２２３が形成されている。ネジ孔２２３には、放熱プレート６、スペーサ３１及び伝熱部材４にそれぞれ設けられた貫通孔（図示略）を介してネジ６３（図６参照）が挿入されている。
【００４０】
伝熱部材４は、空隙を介して超音波振動子２３に対面する伝熱板部４１を有している。伝熱板部４１における超音波振動子２３側と反対側（上方Ｚ１）の面には、温度調整体３が保持されている。伝熱板部４１の外周には、伝熱板部４１よりも肉厚の薄い薄肉部４２が連なっている。薄肉部４２は、先端部材２の突出部２２１と、スペーサ３１との間に狭持されている。また、薄肉部４２には、放熱プレート６と先端部材２とを締結するためのネジ６３が挿通されている。
【００４１】
また、本例の伝熱部材４は、温度調整体３と伝熱板部４１との間に狭持された熱伝導シート４１１を有している。熱伝導シート４１１は、可撓性を有し、熱伝導率の高い材料から構成されている。
【００４２】
図６に示すように、温度調整体３は、伝熱板部４１の中央に配置されており、熱伝導シート４１１と放熱プレート６との間に狭持されている。
【００４３】
本例の温度調整体３は、ペルチェ素子である。ペルチェ素子は、振動板部２１を加温する機能及び冷却する機能の両方を備えている。本例のペルチェ素子は、振動板部２１を加温する際には、その温度を３５〜３９℃の範囲で調整することができる。また、振動板部２１を冷却する際には、その温度を１４〜１８℃の範囲で調整することができる。
【００４４】
温度調整体３の周囲には、環状を呈するスペーサ３１が配置されている。スペーサ３１における内周縁部３１１、即ち温度調整体３側の縁部は、温度調整体３と略同一の厚みを有している。これにより、先端部材２と放熱プレート６とを締結した状態において、温度調整体３に過度に高い圧力が加わることを防止することができる。
【００４５】
本例のスペーサ３１の外周縁部３１２は、ネジ６３を挿通する貫通孔（図示略）を有するとともに、内周縁部３１１よりも肉厚が厚くなっている。スペーサ３１の外周縁部３１２は、伝熱部材４の薄肉部４２と放熱プレート６との間に狭持されている。美容器１の組立作業中に、スペーサ３１の外周縁部３１２と、伝熱部材４の薄肉部４２及び放熱プレート６に設けられた薄肉部６０（後述）とを係合させることにより、伝熱板部４１、スペーサ３１及び放熱プレート６の位置決め作業を容易に行うことができる。
【００４６】
放熱プレート６は、ネジ６３によって先端部材２に締結されている。放熱プレート６における上方Ｚ１の面には、ヒートシンク６１が当接している。また、放熱プレート６における下方Ｚ２の面の中央部には、温度調整体３が当接している。放熱プレート６における下方Ｚ２の面の外周縁部には、中央部よりも肉厚の薄い薄肉部６０が設けられている。薄肉部６０は、スペーサ３１の外周縁部３１２に係合されている。
【００４７】
ヒートシンク６１は、放熱プレート６に当接するベース板６１１と、ベース板６１１からハンドル部１１側に立設された放熱フィン６１２とを有している。ヒートシンク６１は、ヘッド上部５３及びヘッド下部５４の内壁面からそれぞれ突出したヒートシンク保持部５３１、５４１により、ハンドル部１１側への変位が規制されている。これにより、ヒートシンク６１が放熱プレート６に押し付けられている。
【００４８】
冷却ファン６２は、ヒートシンク６１の上方Ｚ１に配置されている。図には示さないが、本例の冷却ファン６２は、制御基板１４と電気的に接続されている。図３〜図６に示すように、ヘッド下部５４における冷却ファン６２に対面する部分には、多数の吸気孔５４２が設けられている。また、ヘッド下部５４におけるヒートシンク６１に対面する部分には、多数の排気孔５４３が設けられている。本例においては、排気孔５４３は、吸気孔５４２よりも開口面積の合計が広くなるように形成されている。
【００４９】
本例の美容器１は、冷却ファン６２を回転させることにより、吸気孔５４２から取り込んだ風をヒートシンク６１に向けて送風することができる。また、ヒートシンク６１に当たった風は、自然に排気孔５４３から排出される。このように、本例の美容器１は、冷却ファン６２を回転させることにより、吸気孔５４２、冷却ファン６２、ヒートシンク６１及び排気孔５４３を含む冷却風の流路を形成し、ヒートシンク６１を介して温度調整体３から発生する熱を外部に放出することができるように構成されている。
【００５０】
次に、本例の美容器１の作用効果を説明する。美容器１においては、温度調整体３と、先端部材２の外周縁部２２との間に伝熱部材４を介在させている。それ故、振動板部２１の面積の拡大と、先端部材２の温度調整効率の向上とを両立させるように、温度調整体３と振動板部２１とを含む熱伝導経路、即ち、伝熱部材４と外周縁部２２との接続構造及び外周縁部２２と振動板部２１との接続構造を容易に最適化することができる。
【００５１】
また、伝熱部材４は、外周縁部２２に接続されている。そのため、超音波振動子２３を発振させた際に、外周縁部２２の内側に存在する振動板部２１を効率よく振動させるとともに、振動板部２１の面積を容易に広くすることができる。
【００５２】
また、温度調整体３は、伝熱部材４を介して間接的に先端部材２に取り付けられている。そのため、上述したような温度調整体３と振動板部２１との干渉の問題を回避し、温度調整体３のサイズを容易に大きくすることができる。そして、美容器１は、温度調整体３のサイズを大きくすることにより、加温能力及び／または冷却能力を十分に高くすることができる。その結果、伝熱部材４を介して振動板部２１の温度を容易に調節することができる。
【００５３】
また、伝熱部材４は、空隙を介して超音波振動子２３に対面する伝熱板部４１を有しており、温度調整体３は、伝熱板部４１における、超音波振動子２３側と反対側の面に保持されている。そのため、伝熱板部４１と超音波振動子２３とが離隔した状態を保ちつつ、先端部材２及び伝熱部材４を配置するスペースをより小さくすることができる。その結果、美容器１をより容易に小型化することができる。
【００５４】
外周縁部２２は、伝熱部材４に向けて立設された突出部２２１を有しており、伝熱部材４は突出部２２１に当接している。そのため、伝熱部材４と超音波振動子２３との間に確実に空隙を形成することができる。その結果、超音波振動子２３を発振させた際に、振動板部２１をより効率よく振動させることができる。
【００５５】
また、本例の温度調整体３は、ペルチェ素子である。そのため、先端部材２を加温する機能と先端部材２を冷却する機能との両方を１つの素子で実現することができる。その結果、部品点数をより低減することができる。
【００５６】
以上のように、本例の美容器１によれば、先端部材２の温度調節を容易に行うことができる。また、美容器１は、先端部材２における振動可能な面積を広くすることができる。
【００５７】
本例の美容器１は、図１に示すように、接続ケーブル１３を介して電源ユニット１００に接続されている。本例の電源ユニット１００には、美容器１とは別の機能を有する第２美容器８が搭載されている。
【００５８】
第２美容器８は、棒状を呈する本体８１と、本体８１から延設された２本の支持軸（図示略）と、２本の支持軸に回転可能に支持された回転体８２とを有している。２本の支持軸は、本体８１の長手方向における一端を基端として、本体８１から遠ざかるにつれて互いの間隔が開くように延設されている。
【００５９】
各支持軸に支持された回転体８２の表面には、主電極８２１が設けられている。また、本体８１の内部には、電源からの電力を主電極８２１に供給する給電装置と、給電装置からの電力供給を制御する制御装置とが設けられている。給電装置は、本体８１の長手方向における他端から延出したケーブル８３を介して、本体８１とは別体に構成された補助電極８４に電気的に接続されている。
【００６０】
制御装置は、主電極８２１及び補助電極８４を肌に接触させた状態において、主電極８２１、補助電極８４、給電装置及び人体を含む閉回路にイオン導入電流またはイオン導出電流を流すことができるように構成されている。
【００６１】
第２美容器８を使用する際、回転体８２を肌に押し当てた状態で本体８１を肌に沿って移動させることにより、回転体８２の回転に伴って、肌が手で摘み上げられるように変形させることができる。これにより、高いマッサージ効果を体感させることができる。また、この場合には、回転体８２の回転に伴って、回転体８２と肌との振動板部積を容易に広くするとともに、肌表面の角質層を引き伸ばし、角質層を薄くすることができる。これらの結果、イオン導入及びイオン導出をより効率的に行うことができる。
【００６２】
本発明に係る美容器１の態様は、上述した実施例の態様に限定されるものではなく、本発明の趣旨を損なわない範囲で適宜その構成を変更することができる。
【００６３】
例えば、上記実施例においては、周波数３．５ＭＨｚの超音波振動を発振できる超音波振動子２３を有する美容器１の例を示したが、超音波振動の周波数を変更することもできる。超音波振動の周波数によっては、超音波振動が振動板部２１を介して外周縁部２２にも伝わり、外周縁部２２を振動させることができる。
【００６４】
また、振動板部２１の中央部２１１の板厚と、その周囲２１２の板厚とを同一にしてもよい。この場合には、超音波振動子２３の振動が外周縁部２２により伝わり易くなり、外周縁部２２をより効率よく振動させることができる。
【００６５】
また、上記実施例においては、電源ユニット１００を美容器１とは別体に構成した例を示したが、美容器１の内部に電源が収容されていてもよい。この場合には、例えば、美容器１の内部に電源としての電池を収容し、電池を制御基板１４に接続することにより、肌に超音波振動を付与する機能、肌を加温する機能及び肌を冷却する機能を実現することができる。
【００６６】
美容器１の内部に収容する電池は、一次電池であってもよく、二次電池であってもよい。二次電池を用いる場合には、二次電池の充電を行う方法として公知の態様を採用することができる。例えば、電源ユニット１００と美容器１とを接続ケーブル１３を介して接続した際に充電を行う構成を採用することができる。また、電源ユニット１００に美容器１を載置した際に、電源ユニット１００に設けた充電接点と美容器１に設けた充電端子とを当接させることにより、充電を行う構成とすることもできる。さらに、充電器内に設けた送電コイルから美容器１内に設けた受電コイルへ電力を送信し、非接触充電を行う構成としてもよい。
【符号の説明】
【００６７】
１  美容器
２  先端部材
２１  振動板部
２２  外周縁部
２３  超音波振動子
３  温度調整体
４  伝熱部材
５  ハウジング
【図１】
2017221564.tif 000003
【図２】
2017221564.tif 000004
【図３】
2017221564.tif 000005
【図４】
2017221564.tif 000006
【図５】
2017221564.tif 000007
【図６】
2017221564.tif 000008
【図７】
2017221564.tif 000009
【図８】
2017221564.tif 000010